(57)【要約】【課題】本発明は、ヨークとマグネットを機械的に結合させることにより、外部振動下でもマグネットが離脱することのないマグネットの固定構造を得ることである。【解決手段】本発明によるＶＣＭのマグネット固定構造は、第１ヨーク(1)の第１凹部(1A)内に第１マグネット(7)を設け、前記第１マグネット(7)の側面(7a)の一部に内側へ窪む第１係合受部(30)を設け、前記第１凹部(1A)の一部に設けられた第１係合突部(31)を前記第１係合受部(30)に係合させることにより、前記第１ヨーク(1)と第１マグネット(7)は強固に結合できる構成である。【選択図】図１
2017046475.tif 000002
【特許請求の範囲】
【請求項１】
第１ヨーク(1)の第１凹部(1A)に設けられた第１マグネット(7)と、前記第１ヨーク(1)に形成され前記第１ヨーク(1)と連通する第２凹部(1B)と、前記第１ヨーク(1)の前記第２凹部(1B)を覆うように設けられた第２ヨーク(5)と、前記第２凹部(1B)内に可動自在に配設される第１ボイスコイル(6)と、前記第１マグネット(7)の側面(7a)に形成され前記側面(7a)より内方へ窪む形状からなる第１係合受部(30)と、前記第１ヨーク(1)に形成され前記第１係合受部(30)の形状にならって突出する第１係合突部(31)と、を備え、
前記第１マグネット(7)は、前記第１係合受部(30)に前記第１係合突部(31)が係合していることにより、前記第１凹部(1A)内に保持されるように構成したことを特徴とするＶＣＭのマグネット固定構造。
【請求項２】
前記第１係合受部(30)は、前記側面(7a)の角部を面取りして形成された斜面部(30A)よりなり、前記第１ヨーク(1)の第１係合突部(31)は、前記斜面部(30A)の形状にならって突出形成されたツメ状部(31A)よりなることを特徴とする請求項１記載のＶＣＭのマグネット固定構造。
【請求項３】
前記第１係合受部(30)は、前記側面(7a)の角部を切欠いて形成した切欠部(30B)よりなり、前記第１係合突部(31)は、前記切欠部(30B)の形状にならって形成された段状突部(31B)よりなることを特徴とする請求項１記載のＶＣＭのマグネット固定構造。
【請求項４】
前記第２ヨーク(20)には、前記第１凹部(1A)と同一構成の第３凹部(1C)及び前記第２凹部(1B)と同一構成の第４凹部(1D)を有すると共に前記第１ヨーク(1)と同一構成の第３ヨーク(21)が設けられ、前記第３凹部(1C)内には前記第１マグネット(7)と同一構成の第２マグネット(7A)が設けられ、前記第４凹部(1D)内には前記第１ボイスコイル(6)と同一構成の第２ボイスコイル(6A)が可動自在に設けられることを特徴とする請求項１ないし３の何れかに記載のＶＣＭのマグネット固定構造。
【発明の詳細な説明】
【技術分野】
【０００１】
本発明は、ＶＣＭのマグネット固定構造に関し、特に、マグネットの側部に形成され内方へ窪む形状の係合受部に対し、ヨークの内面に突出して形成された係合突部を係合させることにより、マグネットを機械的に固定するための新規な改良に関する。
【背景技術】
【０００２】
従来、用いられていたこの種のＶＣＭのマグネット固定構造としては、例えば、図８で示す特許文献１の構成、及び、図９と図１０で示す特許文献２の構成を示すことができる。
すなわち、図８で示される第１従来構成において、ボイスコイルモータ１０の一部を構成するための第１ヨーク１には、第１、第２スペーサ３,４を介して第２ヨーク５が設けられている。
【０００３】
前記第１、第２ヨーク１,５間には空隙９が形成され、前記空隙９内にはボイスコイル６が水平方向に沿って往復移動することができるように構成されている。
前記第１ヨーク１の内壁１ａには、第１磁石７が設けられ、前記第２ヨーク５の内面５ａには第２磁石７Ａが設けられている。
【０００４】
また、図９と図１０で示される特許文献２の第２従来構成においては、第１ヨーク１と第２ヨーク５は、一対のスペーサ部３,４を介して磁石７に設けられている。
前記各スペーサ部３,４の上部と下部には、前記各ヨーク１,５に形成された取付用孔１１,１１ａと係合するための突部１２,１２ａが形成されている。
前記各スペーサ部３,４の内面３ａ，４ａには、一対のツメ状の磁石固定部１３,１４が内側に向けて突出して形成され、各磁石固定部１３,１４は、前記磁石７の上面７ａに接して前記磁石７の上方への移動を抑えることができるように構成されている。
【０００５】
前記各スペーサ部３,４の上部と下部に設けられた各一対の突部１２,１２ａは、前記第１、第２ヨーク１,５の各取付用孔１１,１１ａを貫通しており、前記各突部１２,１２ａの端部が図１０のようにカシメ等によって潰されて各突部１２,１２ａと各ヨーク１,５が一体状に結合されている。尚、前記各ヨーク１,５間に形成された空隙９内には、周知のボイスコイル６を配設することができる。
【先行技術文献】
【特許文献】
【０００６】
【特許文献１】特開２００６−６０１７号公報
【特許文献２】特開平６−１９７５１０号公報
【発明の概要】
【発明が解決しようとする課題】
【０００７】
従来のＶＣＭのマグネット固定構造は、以上のように構成されているため、次のような課題が存在していた。
すなわち、図８の第１従来構成の場合、各磁石７，７Ａが各ヨーク１,５の内壁１ａ，５ａに接着で固定されているのみであるため、振動等の外部衝撃によって各磁石７,７Ａが各ヨーク１,５から外れる恐れもあった。
さらに、図９、図１０の第２従来構成においては、各ヨーク１,５を磁石７に固定するための各スペーサ部３,４の各磁石固定部１３,１４が内側へ向けて延設されているため、この部分が障害となって小型化が困難で、ツメ状の各磁石固定部１３,１４の存在により、磁石７上におけるボイスコイル６の可動範囲が狭くなっていた。
【０００８】
本願発明は、以上のような課題を解決するためになされたもので、特に、マグネットの側部に形成され内方へ窪む形状の係合受部に対し、ヨークの内面に突出して形成された係合突部を係合させることにより、マグネットを機械的に固定するようにしたＶＣＭのマグネット固定構造を提供することを目的とする。
【課題を解決するための手段】
【０００９】
本発明によるＶＣＭのマグネット固定構造は、第１ヨークの第１凹部に設けられた第１マグネットと、前記第１ヨークに形成され前記第１ヨークと連通する第２凹部と、前記第１ヨークの前記第２凹部を覆うように設けられた第２ヨークと、前記第２凹部内に可動自在に配設される第１ボイスコイルと、前記第１マグネットの側面に形成され前記側面より内方へ窪む形状からなる第１係合受部と、前記第１ヨークに形成され前記第１係合受部の形状にならって突出する第１係合突部と、を備え、前記第１マグネットは、前記第１係合受部に前記第１係合突部が係合していることにより、前記第１凹部内に保持される構成であり、また、前記第１係合受部は、前記側面の角部を面取りして形成された斜面部よりなり、前記第１ヨークの第１係合突部は、前記斜面部の形状にならって突出形成されたツメ状部よりなる構成であり、また、前記第１係合受部は、前記側面の角部を切欠いて形成した切欠部よりなり、前記第１係合突部は、前記切欠部の形状にならって形成された段状突部よりなる構成であり、また、前記第２ヨークには、前記第１凹部と同一構成の第３凹部及び前記第２凹部と同一構成の第４凹部を有すると共に前記第１ヨークと同一構成の第３ヨークが設けられ、前記第３凹部内には前記第１マグネットと同一構成の第２マグネットが設けられ、前記第４凹部内には前記第１ボイスコイルと同一構成の第２ボイスコイルが可動自在に設けられる構成である。
【発明の効果】
【００１０】
本発明によるＶＣＭのマグネット固定構造は、以上のように構成されているため、次のような効果を得ることができる。
すなわち、第１ヨークの第１凹部に設けられた第１マグネットと、前記第１ヨークに形成され前記第１ヨークと連通する第２凹部と、前記第１ヨークの前記第２凹部を覆うように設けられた第２ヨークと、前記第２凹部内に可動自在に配設される第１ボイスコイルと、前記第１マグネットの側面に形成され前記側面より内方へ窪む形状からなる第１係合受部と、前記第１ヨークに形成され前記第１係合受部の形状にならって突出する第１係合突部と、を備え、前記第１マグネットは、前記第１係合受部に前記第１係合突部が係合していることにより、前記第１凹部内に保持されることにより、マグネットが係合受部と係合突部の係合によって、ヨークから離脱することがなく、信頼性の高いＶＣＭを得ることができる。また、ＶＣＭの特性を低下させることなく、ヨークとマグネットの組立てを行うことができる。
また、前記第１係合受部は、前記側面の角部を面取りして形成された斜面部よりなり、前記第１ヨークの第１係合突部は、前記斜面部の形状にならって突出形成されたツメ状部よりなることにより、斜面部にツメ状部が入り込んで係合するため、ツメ状部により強力な係合作用が発揮される。
また、前記第１係合受部は、前記側面の角部を切欠いて形成した切欠部よりなり、前記第１係合突部は、前記切欠部の形状にならって形成された段状突部よりなることにより、切欠部と段状突部による強力な係合作用を得ることができる。
また、前記第２ヨークには、前記第１凹部と同一構成の第３凹部及び前記第２凹部と同一構成の第４凹部を有すると共に前記第１ヨークと同一構成の第３ヨークが設けられ、前記第３凹部内には前記第１マグネットと同一構成の第２マグネットが設けられ、前記第４凹部内には前記第１ボイスコイルと同一構成の第２ボイスコイルが可動自在に設けられていることにより、３個のヨークと２個のマグネットを用い、一対のボイスコイルを駆動させる構造を得ることができる。
【図面の簡単な説明】
【００１１】
【図１】本発明によるＶＣＭのマグネット固定構造を示す断面図である。
【図２】図１の底面図である。
【図３】図１のＡ部の拡大図である。
【図４】図１の他の形態を示す断面図である。
【図５】図４の底面図である。
【図６】図１の背面図である。
【図７】図４の背面図である。
【図８】第１従来構成を示す断面図である。
【図９】第２従来構成を示す断面図である。
【図１０】図９の組立て後の断面図である。
【発明を実施するための形態】
【００１２】
本発明によるＶＣＭのマグネット固定構造は、マグネットの側部に形成され内方へ窪む形状の係合受部に対し、ヨークの内面に突出して形成された係合突部を係合させることにより、マグネットを機械的に固定することである。
【実施例】
【００１３】
以下、図面と共に本発明によるＶＣＭのマグネット固定構造の好適な実施の形態について説明する。
尚、従来例と同一又は同等部分には、同一符号を用いて説明する。
図１及び図２は、本発明によるＶＣＭのマグネット固定構造を示すもので、符号１で示されるものは、第１凹部１Ａを有する第１ヨークであり、前記第１凹部１Ａには、これと連通する状態で第２凹部１Ｂが形成されている。
【００１４】
前記第２凹部１Ｂには、前記第１ヨーク１に接し、かつ、前記第２凹部１Ｂを覆う状態で第２ヨーク５が設けられている。
前述の第１ヨーク１、第１凹部１Ａ、第１マグネット７、第２凹部１Ｂ、第２ヨーク５及び前記第２凹部１Ｂ内に設けられる第１ボイスコイル６によって１個のボイスコイルモータ１０を構成することができる。
【００１５】
さらに、前記第２ヨーク５には、前記第１ヨーク１と全く同一構成の第３ヨーク２１が設けられ、前記第３ヨーク２１には第３凹部１Ｃと第４凹部１Ｄが形成されている。
前記第３凹部１Ｃ内には、第２ボイスコイル６Ａが設けられ、前記第４凹部１Ｄ内には第２マグネット７Ａが設けられている。
従って、前述の第１ヨーク１、第１マグネット７、第２ヨーク５及び第１ボイスコイル６を用いたボイスコイルモータ１０として構成できるだけでなく、さらに、第３ヨーク２１、第２マグネット７Ａ及び第２ボイスコイル６Ａを用いると、さらに、大きいトルクを発生することができる各一対のマグネット７,７Ａと各ボイスコイル６,６Ａからなるボイスコイルモータ１０を構成することができるが、この場合には、前記各ボイスコイル６,６Ａをコ字型に接続して用いることができる。
また、前述の構成の場合、前記第１ボイスコイル６は、周知のように、図２の矢印Ａで示す円弧の方向に沿って往復移動することができる。
【００１６】
次に、本発明において特に開発された各マグネット７、７Ａの前記各ヨーク１,２１への固定構造について説明する。
尚、前記第１ヨーク１と第３ヨーク２１同志、及び、前記第１マグネット７と第２マグネット７Ａ同志は、何れも同一構成にて形成されているため、前記第１ヨーク１と第１マグネット７との関係のみを説明し、前記第３ヨーク２１と第２マグネット７Ａとの関係は、前述と同一符号を付し、その説明は前述と同一であるため、省略する。
【００１７】
前記第１マグネット７の各側面７ａには、内方へ窪む形状からなる第１係合受部３０が形成され、前記第１ヨーク１の前記第１凹部１Ａの前記側面７ａに対応する位置には、前記各第１係合受部３０の形状にならって内側に向けて突出するツメ状の一対の第１係合突部３１が形成されている。
従って、前記第１係合突部３１が前記第１係合受部３０内に係合することにより、前記第１マグネット７は前記第１凹部１Ａ内に機械的に強固に設けられている。
尚、前記第１マグネット７の前記第１凹部１Ａ内への装着は、図１の紙面の手前側から第１マグネット７を摺動させて挿入することができ、接着剤(図示せず)を用いることもできる。
【００１８】
前述の図１におけるＡ部を拡大して示す図３には、前記第１係合突部３１及び第１係合受部３０が示されており、前記第１係合受部３０は、前記側面７ａから内方へ向けて形成した斜面部３０Ａから構成されている。
また、前記第１係合突部３１は、前記第１係合受部３０に対応する位置に形成され、ツメ状部３１Ａから構成されている。
【００１９】
次に、図４及び図５は、本発明によるＶＣＭのマグネット固定構造の他の形態を示す構成である。
尚、前述の図１及び図２の構成と同一部分には、同一符号を付し、その説明は省略し、異なる構成についてのみ説明する。
すなわち、第１係合受部３０が、内方へ切欠いた切欠部３０Ｂよりなり、第１係合突部３１が段状突部３１Ｂで形成されている。
従って、前記第１、第２マグネット７,７Ａを前記第１、第２ヨーク１,２１の第１、第３凹部１Ａ，１Ｃ内に挿入する場合には、図４の紙面の手前側から挿入することによって、各マグネット７,７Ａは各凹部１Ａ，１Ｃに固定され、離脱することはない。
尚、前記各ヨーク１,２１同志及び各マグネット７,７Ａ同志は、互いに同一構成である。
【００２０】
図６は図１の背面を示し、図７は図４の背面を示している。
図６及び図７の構成から明らかであるように、前記各マグネット７,７Ａの横幅が図１及び図４の横幅よりも小であることは、図２及び図５の底面図からも明らかなように、各マグネット７,７Ａが扇形をなしており、各ボイスコイル６,６Ａが周知のように、矢印Ａに沿う円弧に沿って往復動作するように構成されている。
従って、本発明によるＶＣＭのマグネット固定構造においては、各マグネット７,７Ａの形状及びボイスコイル６,６Ａの形状に拘わらず、本発明による固定構造を適用できる。
【００２１】
尚、本発明によるＶＣＭのマグネット固定構造の要旨とするところは、以下の通りである。
すなわち、第１ヨーク１の第１凹部１Ａに設けられた第１マグネット７と、前記第１ヨーク１に形成され前記第１ヨーク１と連通する第２凹部１Ｂと、前記第１ヨーク１の前記第２凹部１Ｂを覆うように設けられた第２ヨーク５と、前記第２凹部１Ｂ内に可動自在に配設される第１ボイスコイル６と、前記第１マグネット７の側面７ａに形成され前記側面７ａより内方へ窪む形状からなる第１係合受部３０と、前記第１ヨーク１に形成され前記第１係合受部３０の形状にならって突出する第１係合突部３１と、を備え、前記第１マグネット７は、前記第１係合受部３０に前記第１係合突部３１が係合していることにより、前記第１凹部１Ａ内に保持されるようにした構成であり、また、前記第１係合受部３０は、前記側面７ａの角部を面取りして形成された斜面部３０Ａよりなり、前記第１ヨーク１の第１係合突部３１は、前記斜面部３０Ａの形状にならって突出形成されたツメ状部３１Ａよりなる構成であり、また、前記第１係合受部３０は、前記側面７ａの角部を切欠いて形成した切欠部３０Ｂよりなり、前記第１係合突部３１は、前記切欠部３０Ｂの形状にならって形成された段状突部３１Ｂよりなる構成であり、また、前記第２ヨーク２０には、前記第１凹部１Ａと同一構成の第３凹部１Ｃ及び前記第２凹部１Ｂと同一構成の第４凹部１Ｄを有すると共に前記第１ヨーク１と同一構成の第３ヨーク２１が設けられ、前記第３凹部１Ｃ内には前記第１マグネット７と同一構成の第２マグネット７Ａが設けられ、前記第４凹部１Ｄ内には前記第１ボイスコイル６と同一構成の第２ボイスコイル６Ａが可動自在に設けられる構成である。
【産業上の利用可能性】
【００２２】
本発明によるＶＣＭのマグネット固定構造は、第１ヨークの第１係合突部が第１マグネットの第１係合受部に係合しているため、第１マグネットは第１ヨークから離脱することがなく、外部振動等に対しても安定した動作のＶＣＭを得ることができる。
【符号の説明】
【００２３】
１    第１ヨーク
１Ａ    第１凹部
１Ｂ    第２凹部
１Ｃ    第３凹部
１Ｄ    第４凹部
５    第２ヨーク
６    第１ボイスコイル
６Ａ    第２ボイスコイル
７    第１マグネット
７ａ    側面
７Ａ    第２マグネット
１０    ボイスコイルモータ（ＶＣＭ）
２１    第３ヨーク
３０    第１係合受部
３０Ａ    斜面部
３１    第１係合突部
３１Ａ    ツメ状部
【図１】
2017046475.tif 000003
【図２】
2017046475.tif 000004
【図３】
2017046475.tif 000005
【図４】
2017046475.tif 000006
【図５】
2017046475.tif 000007
【図６】
2017046475.tif 000008
【図７】
2017046475.tif 000009
【図８】
2017046475.tif 000010
【図９】
2017046475.tif 000011
【図１０】
2017046475.tif 000012